(57)【要約】本発明は、無線通信機器のアンテナ（１）に関し、電気的に接続された（４）２個の放射導体面（２、５）と、少なくとも一方の前記放射導体面におけるスリット（３）と、一方の放射導体面に配置されたフィーダー接続部（６）と、前記フィーダー接続部と同じ導体面に配置されて、アース（８）に接続された短絡接続部（７）とを含む。本発明は、また、本発明によるアンテナを内部に配置した無線通信機器に関する。本発明は、また、このようなアンテナの製造方法に関し、特に、金属薄板でスリットをカットするステップと、金属薄板の二つの部分を重ねながら折り畳むステップとを含む。
2005508099.tif 000002
【特許請求の範囲】
【請求項１】
互いに電気的に接続された（４）２個の放射導体面（２、５）と、
少なくとも一方の前記放射導体面におけるスリット（３）と、
一方の放射導体面に配置されて、この導体面に物理的に接続されるフィーダー接続部（６）と、
前記フィーダー接続部と同じ導体面に配置されて、この導体面に物理的に接続される短絡接続部（７）とを含む、マルチバンドアンテナ（１）。
【請求項２】
前記導体面が、その一縁によって電気的に接続される（４）ことを特徴とする請求項１に記載のアンテナ。
【請求項３】
前記スリット、短絡接続部、およびフィーダー接続部が、同一の導体面に配置されることを特徴とする請求項１または２に記載のアンテナ。
【請求項４】
前記導体面が折り畳んだ金属薄板から形成されることを特徴とする請求項１から３のいずれか一項に記載のアンテナ。
【請求項５】
前記フィーダー接続部が、金属薄板に形成される舌部であることを特徴とする請求項４に記載のアンテナ。
【請求項６】
前記短絡接続部が、金属薄板に形成される舌部であることを特徴とする請求項４または５に記載のアンテナ。
【請求項７】
前記スリットが、二つの導体面に延びることを特徴とする請求項１から７のいずれか一項に記載のアンテナ。
【請求項８】
前記導体面の寸法が異なることを特徴とする請求項１から７のいずれか一項に記載のアンテナ。
【請求項９】
前記二つの導体面の間に配置される誘電性基板（９）を含むことを特徴とする請求項１から８のいずれか一項に記載のアンテナ。
【請求項１０】
一方の導体面とアース（８）との間に配置される誘電性基板（１０）を含むことを特徴とする請求項１から９のいずれか一項に記載のアンテナ。
【請求項１１】
少なくとも一方の基板（９、１０）が、比誘電率２未満の材料で構成されることを特徴とする請求項９または１０に記載のアンテナ。
【請求項１２】
前記少なくとも一方の基板（９、１０）が、分散率１０―３未満の材料で構成されることを特徴とする請求項９から１１のいずれか一項に記載のアンテナ。
【請求項１３】
少なくとも２個の共鳴周波数帯を有し、前記２個の共鳴周波数帯の一方が、相補的な２個の共鳴周波数帯から形成されることを特徴とする請求項１から１２のいずれか一項に記載のアンテナ。
【請求項１４】
少なくとも３個の共鳴周波数帯を有することを特徴とする請求項１から１３のいずれか一項に記載のアンテナ。
【請求項１５】
請求項１から１４のいずれか一項に記載のマルチバンドアンテナを含むことを特徴とする無線通信機器。
【請求項１６】
厚さ２０ｍｍ未満、長さ１２０ｍｍ未満、幅５０ｍｍ未満であることを特徴とする請求項１５に記載の無線通信機器。
【請求項１７】
スリット、フィーダー接続部、短絡接続部を金属薄板から切り抜くステップと、この金属薄板の二つの部分を重ねて折り畳むステップとを含むことを特徴とするマルチバンドアンテナの製造方法。
【請求項１８】
ほぼ平行な二つの折り目（１１、１２）を金属薄板につけることによって、二つの導体面の間に平面電気接続部を形成するステップをさらに含むことを特徴とする請求項１６に記載の製造方法。
【発明の詳細な説明】
【０００１】
本発明は、パッチ技術によって構成されるアンテナに関する。このようなアンテナは、一般に、無線周波数およびマイクロ波を含むスペクトル領域で使用される。
【０００２】
大部分のアンテナは、共鳴周波数帯域を含む。送信時に、フィーダー線によりこの周波数帯域で励起されると、アンテナは定在電磁波を維持する。定在電磁波は、その後、空間に放射される電磁波に結合される。受信時に、電波の波形は同じであるが、逆方向の行程を辿る。このタイプの様々なアンテナが従来技術で知られている。
【０００３】
信号を伝送するために一つの面にあるマイクロストリップをアンテナとして用いることが知られている。誘電性基板の上面に導電性パッチを配置し、基板の下面に導電層を置く。基板は、一般に、厚さが一定の長方形の平面である。
【０００４】
また、フランス特許ＦＲ−Ａ−２７７２５１８号にも、マルチバンドアンテナが記載されている。このアンテナは、誘電性基板の上面に配置された平らなパッチを含む。接地層は、誘電性基板の下面に配置される。アンテナは、四分の一波長タイプである。何故なら、誘電性基板の一区間に配置された短絡導体が、接地層にパッチを接続するからである。このアンテナは、アンテナと信号処理装置との間で信号伝送を可能にする接続導体を有する。
【０００５】
Ｏｌｌｉｋａｉｎｅｎ、Ｋｉｖｅｋａｓ、Ｔｏｒｏｐａｉｎｅｎ、ＶａｉｎｉｋａｉｎｅｎがＤａｖｏｓ会議ＡＰ２０００で発表した研究論文は、マルチバンドアンテナを開示している。このアンテナは、Ｓｔｙｒｏｆｏａｍ（登録商標）基板の上面に配置された３個のパッチを含む。接地層は、誘電性基板の下面に配置される。低周波数帯用の第一のパッチは、高周波数帯用の第二のパッチに接合される。かくして、二つのパッチは、ジグザグ形を有しフィーダーを含む第一の２バンド素子を形成する。２バンド素子は、接地層との接合部として短絡を含む。第三のパッチは、第二のパッチ側に配置され、帯域幅を拡大して高周波数帯域で共鳴を二倍にする。第三のパッチは、接地との接合部として短絡を含む。
【０００６】
２０００年１０月５日付のＭｉｃｒｏｗａｖｅ  ａｎｄ  ｏｐｔｉｃａｌ  ｔｅｃｈｎｏｌｏｇｙ  ｌｅｔｔｅｒｓ  第２７巻第１号５８ページに掲載された文献「Ｎｏｖｅｌ  ｍｅａｎｄｅｒｅｄ  ｐｌａｎａｒ  ｉｎｖｅｒｔｅｄ  Ｆ−ａｎｔｅｎｎａ  ｆｏｒ  ｔｒｉｐｌｅ  ｆｒｅｑｕｅｎｃｙ  ｏｐｅｒａｔｉｏｎ」は、マルチバンドアンテナを記載している。このアンテナは、「蛇行」パターンに従ってアースと同一面に配置される３個のパッチを有する。この３個のパッチは、単一の電源を含む。
【０００７】
これらのアンテナには、幾つかの不都合がある。アンテナは、一方では移動通信機器のハウジングの小型寸法と相容れない大型平面パッチを必要とする。もう一方では、こうしたアンテナは、通過帯域を広げるために容量充電部を組み立てなければならないので、コストが高くなり、アンテナが複雑化する。しかも、これらのアンテナは、適切な適合レベルを有するように、大抵は中央から電力供給される必要がある。
【０００８】
さらに、上記アンテナの共鳴周波数帯域は数が限られており、帯域幅もまた限られているので、情報伝送用に使用される全ての周波数帯域を処理するというわけにはいかない。従って、使用する国に応じて異なるアンテナを機器に装備しなければならない場合がある。そのうえ、これらのアンテナでは、共鳴周波数と、この共鳴周波数の帯域幅との調整もまた容易でない。
【０００９】
従って、以上のさまざまな問題を解決するアンテナが必要である。
【００１０】
本発明は、互いに電気的に接続された２個の放射導体面と、少なくとも一方の前記放射導体面におけるスリットと、一方の放射導体面に配置されて物理的に接続されるフィーダー接続部と、前記フィーダー接続部と同じ導体面に配置されて物理的に接続される短絡接続部とを含むアンテナに関する。
【００１１】
変形実施形態によれば、導体面が、その一縁によって電気的に接続される。
【００１２】
別の変形実施形態によれば、スリット、短絡接続部、およびフィーダー接続部が、同一の導体面に配置される。
【００１３】
さらに別の変形実施形態によれば、導体面が折り畳んだ金属薄板から形成される。
【００１４】
さらに別の変形実施形態によれば、フィーダー接続部が、金属薄板に形成される舌部である。
【００１５】
別の変形実施形態によれば、短絡接続部が、金属薄板に形成される舌部である。
【００１６】
変形実施形態によれば、スリットが、二つの導体面に延びる。
【００１７】
別の変形実施形態によれば、導体面の寸法が異なる。
【００１８】
さらに別の変形実施形態によれば、アンテナは二つの導体面の間に配置される誘電性基板を含む。
【００１９】
別の変形実施形態によれば、アンテナは、一方の導体面とアースとの間に配置される誘電性基板を含む。
【００２０】
別の変形実施形態によれば、少なくとも一方の基板が、比誘電率２未満の材料で構成される。
【００２１】
別の変形実施形態によれば、少なくとも一方の基板が、分散率１０―３未満の材料で構成される。
【００２２】
アンテナは、また、少なくとも２個の共鳴周波数帯を有し、前記２個の共鳴周波数帯の一方が、相補的な２個の共鳴周波数帯から形成される。
【００２３】
変形実施形態によれば、アンテナは、少なくとも３個の共鳴周波数帯を有する。
【００２４】
本発明は、また、本発明によるアンテナを含む無線通信機器に関し、厚さ２０ｍｍ未満、長さ１２０ｍｍ未満、幅５０ｍｍ未満である。
【００２５】
本発明は、また、スリット、フィーダー接続部、短絡接続部を金属薄板から切り抜くステップと、この金属薄板の二つの部分を重ねて折り畳むステップとを含むアンテナの製造方法に関する。
【００２６】
変形実施形態によれば、この方法は、ほぼ平行な二つの折り目を金属薄板につけることによって、二つの導体面の間に平面電気接続部を形成するステップをさらに含む。
【００２７】
本発明の他の特徴および長所は、添付図面に関して例として挙げられた本発明の実施形態に関する以下の説明を読めば、明らかになるであろう。
【００２８】
本発明は、スリットを備えた第一の導体面に第二の導体面を重ね、二つの面を電気的に接続するアンテナを提案する。
【００２９】
以下に挙げるアンテナは、電流を電磁場に変換する送信機として動作する場合について説明する。当業者にとって、アンテナが電磁場を電流に変換する受信機として動作する場合も同様であることは自明である。
【００３０】
図１は、本発明の第一の実施形態によるアンテナの斜視図である。図２は、同一面に導体面をアラインメントしたときの同じアンテナを示す。アンテナ１は、第一の放射導体面２を有し、スリット３が、この面の一つの縁から延びて構成されている。反対の縁には、ここでは所定幅の導電性の帯からなる電気接続部４が、第一の放射導体面２と第二の放射導体面５とを電気的に接続している。図１に示したように、第二の導体面は、第一の導体面に重ねられている。導体面２、５を重ねることによって、従来技術のアンテナに比べてアンテナ面積を減らすことができる。
【００３１】
第一の導体面は、フィーダー接続部６と、アース８に接続される短絡接続部７とを有する。より詳しくは、フィーダー接続部６および短絡接続部７は、少なくとも一つの導体面で物理的に接触している。
【００３２】
一方、フィーダー接続部６は、通常、電流として信号を送る信号発生処理装置（図示せず）に接続されている。
【００３３】
第一の共鳴モードは、第一の放射導体面２の二つの縁を絶縁するスリット３によって得られる。電流は、このスリットを迂回する。電気経路は、短絡接続部を起点とし、図２に混合破線で示した放射エリア２１まで延びる。電磁界は、放射エリア２１の位置で誘導により発生する。従って、電磁界の波長は、このスリットの長さ、すなわち最大寸法によって決定される。短絡接続部は、電界の節を課すので、この共鳴は、四分の一波長タイプである。かくして、λが放射波長であるとき、電気経路の長さは、約λ／４である。
【００３４】
第二の共鳴モードは、第一の放射導体面に重ねられた第二の放射導体面によって得られる。第二の導体面は、第一の導体面との電磁結合と、電気接続部４を介したこの同じ面との直接電気結合とによって励起される。そのため、第二の導体面に四分の一波長タイプの共鳴が発生する。電磁界は、主に放射エリア２２の位置に発生する。この共鳴周波数は、第一および第二の導体面の寸法によって決定される。従って、このモードの共鳴周波数を決定するために考慮される長さは、短絡接続部と放射エリア２２との距離にほぼ対応する。導体面は、接続部４と短絡接続部７とを介して短絡されるため、所定の共鳴周波数に対してアンテナの寸法を小さくすることができる。しかも、導体面５を導体面２に重ねるので、アンテナ面積も小さくなる。
【００３５】
第三の共鳴モードは、フィーダー接続部と短絡接続部との組み合わせによって第一の導体面で発生する。実際、フィーダー接続部６は、その構成を考えれば、第一の導体面２を直接励起し、第一の導体面は、放射を行いながらスリット３および第二の導体面５を順番に励起する。
【００３６】
アースは、短絡の位置で電界の節を課し、反対の縁すなわち放射エリア２３の位置で腹を課す四分の一波長タイプの共鳴を提供する。導体面の最大寸法、すなわち短絡接続部と放射エリア２３との距離は、放射波長のおよそ四分の一である。
【００３７】
第二の導体面が第一の導体面の放射エリア２３を被覆するので、二つの導体面の電磁結合により周波数値ｆ２、ｆ３は強い影響を受ける。従って、二つの導体面２、５の放射エリアが重なると、四分の一波長のモデルで得られた値に比べて周波数ｆ２、ｆ３は著しく修正される。
【００３８】
図１、２に示した実施形態では、第一の導体面の寸法とは非常に異なる寸法の第二の導体面を使用している。第一の導体面に近い寸法の第二の導体面を使用すると、第三の共鳴周波数からかけ離れた第二の共鳴周波数が得られる。適切な寸法のスリットにより、異なる三つの共鳴周波数が得られる。従って、アンテナが送信可能な周波数帯域の数が増える。反対に、寸法の小さい第二の導体面を使用すると、第三の共鳴周波数に近い第二の共鳴周波数が得られる。
【００３９】
図１、２に示した実施形態では、導体面が、電気接続部４により結合されている。そのため、電気接続部４は導体面２、５の縁に配置される。電気接続部４は、ここでは、所定の幅の金属帯から形成される。導体面の縁に設けられるこのタイプの接続部は、特に、後述する方法により容易に製造される。しかしながら、本発明の範囲では、導体面の縁以外で導体面どうしの電気接続を行ってもよい。このようにして、中央ゾーンにおける適切な箇所で導体面を結合することができる。
【００４０】
電気接続部４の幅は、共鳴周波数の値ｆ２、ｆ３に影響する。従って、電気接続部４の幅を狭くすれば、共鳴周波数ｆ２、ｆ３は小さくなる。導体面２、５の幅に面した接続部４の位置決定もまた、共鳴周波数ｆ２の値に影響する。短絡接続部７から電気接続部４を離せば離すほど、周波数ｆ２が小さくなる。
【００４１】
フィーダー接続部は、図示されていない接続線により送信器または信号処理装置に接続される。たとえば同軸ケーブルにより、この接続を実施することができる。フィーダー接続部と、たとえば送信機との間の信号ノイズの反射を回避するために、接続線に沿ってインピーダンスを均質化することが好ましい。そのため、導体面を起点として延長されて接続線を形成する舌部から、この接続線を構成することが有効である。
【００４２】
さらに、利得、すなわち、アンテナが放射する信号のパワーと送信機が送信する信号のパワーとの比を最適化するために、アンテナが持つ入力インピーダンスを送信機または信号処理装置の出力インピーダンスと同じにすることが望ましい。好適には、このインピーダンスを５０Ωに固定して、損失を最小にする。
【００４３】
アンテナの利得を向上させ、製造を容易にするためには、また、導体面の縁にフィーダー接続部および／または短絡接続部を配置することが望ましい。アンテナの一つの縁に短絡接続部を配置することにより、この箇所で電界をゼロにする。かくして、アンテナが、四分の一波長タイプの動作を行うことができる。フィーダー接続部を導体面の縁に配置することにより、適合レベルが上げられる。
【００４４】
また、好適には、フィーダー接続部６と短絡接続部７とを同一導体面に配置する。このようにして、アンテナの入力インピーダンスを適切に制御することができる。短絡接続部に対するフィーダー接続部の相対的な位置を変えることによって、共鳴周波数ならびに適合レベルを変えることができる。そのため、適切に選択した場所に接続部６、７を配置する。
【００４５】
図３は、本発明によるアンテナの第二の実施形態を示す。基板９は、第二の導体面５と第一の導体面２との間に配置される。この基板により、導体面の力学的強度が得られる。基板はまた、互いに一定の距離のところに導電層を保持するために使用することができる。基板材料については、比誘電率が空気に近く、好適には２未満である材料を選択することが望ましい。同様に、好適には、分散率がきわめて低く、特に分散率が１０−３未満である材料を選択する。それによってアンテナの利得が改善される。従って、ポリメタクリリミドフォーム等のフォームから基板９を構成することも可能である。このようなフォームの力学的強度は優れている。
【００４６】
また、導電層の一つと平面接地８との間に基板１０を配置してもよい。アースの返しストリップを折り畳めるように、縁の一つが第一の導体面２の縁に対して同じ位置にあるか、または引っ込んだ、図３に示したような基板１０を使用する。そのためアンテナの組み立ては単純化される。利得を改善するため、同様に、比誘電率が空気に近く、好適には２未満である材料で上記の基板を構成することが望ましい。さらに、好適には、分散率がきわめて低い材料を選択する。たとえば、基板９に対して記載した材料と同様の材料を使用することができる。好適には、周波数を合わせ、通過帯域を広げることができる厚さの基板を選択する。基板１０の厚さは、無線通信機器の寸法により制限される。
【００４７】
図３に示した実施形態では、スリットが、第一の導体面のほぼ全長に沿って延びている。共鳴周波数ｆ２、ｆ３は、かなり近い。そのため、共鳴周波数ｆ２は、共鳴周波数ｆ３を補って、帯域幅がより大きい周波数帯域を形成する。スリット３は、導体面２のほぼ全長に沿って延びているので、共鳴周波数ｆ１は、周波数ｆ３のおよそ半分である。
【００４８】
図示された実施形態において、スリット３の形状は長方形である。スリット３は、このスリットを含むほぼ平行六面体の導体面の縁に対して傾斜しながら延び、導体面の寸法を最低に保ちながら、長さが最大になるようにされている。
【００４９】
図４は、第二の実施形態によるアンテナの特徴をよく示す、アンテナ入力における反射周波数のスペクトルを示している。所定の周波数におけるアンテナの弱い反射が共鳴に相当する。周波数ｆ２、ｆ３は相補的であって、拡大周波数帯域Ｂを形成している。
【００５０】
図５は、導体面をアラインメントした試験アンテナの上面図である。このアンテナの寸法は、次の通りである。
ａ＝４０ｍｍ  ｂ＝２５ｍｍ  ｃ＝０．７５ｍｍ  ｄ＝７ｍｍ
ｅ＝１０ｍｍ  ｆ＝５ｍｍ    ｇ＝３ｍｍ        ｈ＝８ｍｍ
ｉ＝２２ｍｍ  ｊ＝２２ｍｍ  ｋ＝３ｍｍ        ｌ＝３ｍｍ
ｍ＝４ｍｍ    ｎ＝５ｍｍ
【００５１】
導体面は、厚さ１００μｍの折り畳んだ銅薄板から形成される。電気接続部は、銅薄板の折り畳んだ側面から形成される。このアンテナは、２個の導体面を隔てる基板と、第一の導体面をアースから隔てる基板とを有する。２個の基板は、ポリメタクリリミドフォームから構成される。
【００５２】
図６のグラフは、図５の実施形態のアンテナ入力における反射周波数のスペクトルを示している。第一の共鳴周波数ｆ１は、Ｅ−ＧＳＭ（８８０−９６０ＭＨＺ）の領域で使用可能である。第二の共鳴周波数ｆ２は、ＤＣＳ（１７１０−１８８０ＭＨＺ）またはＰＣＳ（１８５０−１９９０ＭＨＺ）の領域で使用可能である。第二の共鳴周波数ｆ２は、第一の共鳴周波数ｆ１より大きい。何故なら、第二の共鳴周波数に対する電気経路が第一の共鳴周波数の電気経路よりも短いからである。第三の共鳴周波数ｆ３は、第二の共鳴周波数ｆ２よりも大きい。第三の共鳴周波数ｆ３は、たとえばＵＭＴＳ（１９００−２１７０ＭＨＺ）の領域で使用可能である。
【００５３】
上記の試験アンテナの場合と同様に、折り畳んだ金属薄板を使用して導体面を形成してもよい。また、金属薄板に形成される舌部としてフィーダー接続部を構成することも可能である。さらに、金属薄板に形成される舌部として短絡接続部を構成することも可能である。
【００５４】
本発明は、また、上記のアンテナを含む無線通信機器に関する。アンテナは、機器の保護ハウジング内部に配置可能である。
【００５５】
本発明はまた、アンテナの製造方法に関する。この製造方法は、金属薄板でスリットを切り抜くステップを含む。さらに、金属薄板の二つの部分を重ねて折り畳むステップを含む。変形実施形態によれば、折り畳みステップが、ほぼ平行な２個の折り目１１、１２を金属薄板に形成しながら、２個の導体面の間に平面電気接続部を構成するステップを含む。
【００５６】
変形実施形態によれば、この方法は、短絡ストリップを切り抜くステップを含む。別の変形実施形態によれば、この方法は、フィーダー接続部を切り抜くステップを含む。さらに別の変形実施形態によれば、この方法は、金属薄板の幅の一部を電気接続部に切り抜くステップを含む。
【００５７】
もちろん、本発明は、記載および図示した実施例および実施形態に制限されるものではなく、当業者が検討可能な多数の変形実施形態を含む。
【００５８】
従って、これまで導体面について記載してきたが、たとえば移動電話のハウジングの形状と係合するように湾曲した導体面を使用することも可能である。また、電気接続部を経由して２個の導体面に延びるスリットを構成してもよい。さらに、図示された長方形とは異なる形状の導体面、ならびに、波形または湾曲した導体面を使用することもできる。さらに、場合によっては、フィーダー舌部および短絡舌部を折り畳んでもよい。
【図面の簡単な説明】
【図１】
本発明の第一の実施形態によるアンテナの斜視図である。
【図２】
導体面をアラインメントした図１のアンテナの上面図である。
【図３】
本発明の第二の実施形態によるアンテナの斜視図である。
【図４】
第二の実施形態によるアンテナの典型的な反射周波数のスペクトルを示すグラフである。
【図５】
導体面をアラインメントしたテストアンテナの上面図である。
【図６】
図５のアンテナの入力反射周波数スペクトルを示すグラフである。
【図１】
2005508099.tif 000003
【図２】
2005508099.tif 000004
【図３】
2005508099.tif 000005
【図４】
2005508099.tif 000006
【図５】
2005508099.tif 000007
【図６】
2005508099.tif 000008
【国際公開パンフレット】
2005508099.tif 000009
2005508099.tif 000010
2005508099.tif 000011
2005508099.tif 000012
2005508099.tif 000013
2005508099.tif 000014
2005508099.tif 000015
2005508099.tif 000016
2005508099.tif 000017
2005508099.tif 000018
2005508099.tif 000019
2005508099.tif 000020
2005508099.tif 000021
2005508099.tif 000022
2005508099.tif 000023
2005508099.tif 000024
2005508099.tif 000025
2005508099.tif 000026
【国際公開パンフレット（コレクトバージョン）】
2005508099.tif 000027
2005508099.tif 000028
【国際調査報告】
2005508099.tif 000029
2005508099.tif 000030
2005508099.tif 000031
2005508099.tif 000032
2005508099.tif 000033
2005508099.tif 000034